(57)【要約】【課題】  本発明は、切断した爪が飛散しないように工夫した爪きり器を提供するものである。【解決手段】  先端に上刃（１）を持つ上刃体（３）及び先端に下刃（２）を持つ下刃体（４）を対向状態に備え、それらの基端（５）は常時両刃が開口状態となるように固定され、かつ上刃体（３）の上部に配置される押圧操作てこ（６）によって、上刃（１）と下刃（２）の間にいれた爪を切断するようにし、更に下刃体（４）断面に固定された側壁（７）の高さを上刃体（３）よりも高くして、上刃体（３）と下刃体（４）と該側壁（７）に囲まれた空間部を切り取った爪の収納室とした爪きり器において、押圧操作てこ（６）には力点部となる突起（８）が、該てこ（６）の長さ方向にスライド可能な状態で配置されてなり、かつ該てこ（６）が両側壁の前部で支持ピン（９）により側壁（７）に固定されてなると共に、上刃体（３）の前部表面に該突起（８）と嵌合可能な突起受（１０）を設けることを特徴とする。【選択図】  図１
2005152549.tif 000002
【特許請求の範囲】
【請求項１】
先端に上刃（１）を持つ上刃体（３）及び先端に下刃（２）を持つ下刃体（４）を対向状態に備え、それらの基端（５）は常時両刃が開口状態となるように固定され、かつ上刃体（３）の上部に配置される押圧操作てこ（６）によって、上刃（１）と下刃（２）の間にいれた爪を切断するようにし、更に下刃体（４）断面に固定された側壁（７）の高さを上刃体（３）よりも高くして、上刃体（３）と下刃体（４）と該側壁（７）に囲まれた空間部を切り取った爪の収納室とした爪きり器において、
押圧操作てこ（６）には力点部となる突起（８）が、該てこ（６）の長さ方向にスライド可能な状態で配置されてなり、かつ該てこ（６）が両側壁の前部で支持ピン（９）により側壁（７）に固定されてなると共に、上刃体（３）の前部表面に該突起（８）と嵌合可能な突起受（１０）を設けることを特徴とする爪きり器。
【請求項２】
側壁（７）の一部に切り取った爪を収納室から除去するための排出口（１１）を設けることを特徴とする請求項１記載の爪きり器。
【請求項３】
下刃体（４）の下面又は押圧操作てこ（６）の上面に、やすり状態を形成することを特徴とする請求項１〜２いずれか記載の爪きり器。
【請求項４】
押圧操作てこ（６）と上刃体（３）とが爪きり器保管時に密着するように、押圧操作てこ（６）の末端部と上刃体（３）の末端部それぞれに、磁石片を設置することを特徴とする請求項１〜３いずれか記載の爪きり器。
【発明の詳細な説明】
【技術分野】
【０００１】    本発明は、切断した爪が飛散しないように工夫した爪きり器に関する。
【背景技術】
【０００２】  従来の爪きり器は、先端に上刃を持つ上刃体及び先端に下刃を持つ下刃体を対向状態に備え、その基端を常時両刃が開口状態となるように固定し、かつ上刃体の上部に配置された押圧操作てこによって、上刃と下刃の間にいれた爪を切り取るように設計されており、普通、押圧操作てこの力点部となるピンが上刃と下刃の内側の空間部中央に設置されている。
そのため、切り取った爪の小片がこのピンに当たって、周囲に飛散し易く非衛生的であって後始末に苦労することが多い。【０００３】  かかる不便さを改善するため、種々の提案がなされており、例えば上記のピンを刃の両端部に移動させて切り取った爪とピンとの接触を回避させたり（特許文献１参照。）、刃の裏にゴム状物を設置したりする（特許文献２参照。）試みがなされている。
【特許文献１】  特開２００２−１７４３２号公報
【特許文献２】  特開２００３−２４１３０号公報
【発明の開示】
【発明が解決しようとする課題】
【０００４】  しかしながら、かかる公知の爪きり器では飛散防止の効果が不十分であったり、製作に手間がかかりコストアップとなる問題がある。
【課題を解決するための手段】
【０００５】  しかるに、本発明者が上記課題を解決すべく鋭意研究を重ねた結果、先端に上刃（１）を持つ上刃体（３）及び先端に下刃（２）を持つ下刃体（４）を対向状態に備え、それらの基端（５）は常時両刃が開口状態となるように固定され、かつ上刃体（３）の上部に配置される押圧操作てこ（６）によって、上刃（１）と下刃（２）の間にいれた爪を切断するようにし、更に下刃体（４）断面に固定された側壁（７）の高さを上刃体（３）よりも高くして、上刃体（３）と下刃体（４）と該側壁（７）に囲まれた空間部を切り取った爪の収納室とした爪きり器において、
押圧操作てこ（６）には力点部となる突起（８）が、該てこ（６）の長さ方向にスライド可能な状態で配置されてなり、かつ該てこ（６）が両側壁の前部で支持ピン（９）により側壁（７）に固定されてなると共に、上刃体（３）の前部表面に該突起（８）と嵌合可能な突起受（１０）を設けることを特徴とする爪きり器、好ましくは更に側壁（７）の一部に切り取った爪の排出口（１１）を設けることを特徴とする爪きり器が、その目的を満足することを見出し本発明を完成した。
【発明の効果】
【０００６】  本発明の爪きり器は、力点部となる突起（８）が長さ方向にスライド可能な状態で設置された押圧操作てこ（６）が爪きり前部で両側壁に支持ピン（９）で固定されてなり、かつ上刃体（３）の前部表面に該突起（８）と嵌合可能な突起受（１０）を設けたことによって、上下刃間になんの障害物も存在しないため、切り取った爪の小片が容易に収納室に収まり、飛散防止に顕著な効果を発揮できる。
【発明を実施するための最良の形態】
【０００７】  以下、本発明について具体的に説明する。
まず、本発明の爪きり器は先端に上刃（１）を持つ上刃体（３）及び先端に下刃（２）を持つ下刃体（４）を対向状態に備え、それらの基端（５）は常時両刃が開口状態となるように固定され、かつ上刃体（３）の上部に配置される押圧操作てこ（６）によって、上刃（１）と下刃（２）の間にいれた爪を切断するようにし、更に下刃体（４）断面に固定された側壁（７）の高さを上刃体（３）よりも高くして、上刃体（３）と下刃体（４）と該側壁（７）に囲まれた空間部が切り取った爪の収納室となっている。
下刃、上刃の形状は直線状態でも曲線状態（扇形状態）のいずれでも良い。【０００８】  本発明の爪きり器の特徴点は、押圧操作てこ（６）に力点部となる突起（８）が、該てこ（６）の長さ方向にスライド可能な状態で配置されてなり、かつ該てこ（６）が両側壁の前部で支持ピン（９）により側壁（７）に固定されてなると共に、上刃体（３）の前部表面に該突起（８）と嵌合可能な突起受（１０）を設ける点である。【０００９】  押圧操作てこ（６）を両側壁に支持ピン（９）で固定するには特に制限はなく、側壁の両側に設けられた小孔に支持ピン（９）を挿入しこのピン（９）と押圧操作てこ（６）とを一体化しておく等の方法がある。
押圧操作てこ（６）の下面に設けられる突起（８）の形状は三角柱、半円柱、円柱、直方体、正方体等の任意の形であって良い。
かかる突起（８）は、押圧操作てこ（６）の幅方向（刃と平行方向）全体又は一部に配置され、しかも押圧操作てこ（６）の長さ方向に自由にスライド可能とする必要がある。スライド方式としてはカーテンレール方式や吊り下げ方式等特に制限はない。【００１０】  上刃体（３）の表面には刃付近に上記の突起（８）を受け止め、それを力点として機能ならしめるための嵌合可能な突起受（１０）を設ける必要がある。突起受（１０）の形状は、要は上記突起（８）をしっかりと固定すれば特に制限はなく、上刃体（３）の表面に堰を設けて溝部を形成させたり、上刃体（３）の表面に堀を切り込み溝部や穴部を設けることが可能である。【００１１】  爪きり器使用時にはこの突起（８）を前部にスライドさせ突起受（１０）と嵌合させれば良く、これが力点となり爪の切り取りができ、切り取った爪の小片は容易に収納室に収納される。使用後は突起（８）を押圧操作てこ（６）の後方に移動させることにより、押圧操作てこ（６）は上刃体（３）とほぼ平行に配置できるので、保管に場所を取られることもない。この操作をより効果的に行えるように、押圧操作てこ（６）の末端部と上刃体（３）の末端部それぞれに、磁石片を設置することも可能である。【００１２】  又、本発明の爪きり器には側壁（７）の一部に切り取った爪を収納室から除去するための排出口（１１）を設けることも有用であり、排出口（１１）は常時、解放状態であっても、開閉自在の扉を備え付けておいても良い。
更に、下刃体（４）の下面や押圧操作てこ（６）の上面に、やすり状体を形成することにより、爪切り後の後処理を容易にすることも可能である。
【産業上の利用可能性】
【００１３】  本発明の爪きり器は、切断した爪が飛散しないように工夫されたものであり、生活必需品として有益な小道具である。
【図面の簡単な説明】
【００１４】
【図１】本発明の爪きり器の使用時の側面図である。
【図２】本発明の爪きり器の保管時の側面図である。
【図３】本発明の爪きり器（使用時）の力点部分の拡大図である。
【図４】本発明の爪きり器（突起を突起受に嵌合する直前）の力点部分の拡大図である。
【符号の説明】
【００１５】（１）    上刃      （２）    下刃      （３）    上刃体
（４）    下刃体    （５）    基端      （６）    押圧操作てこ
（７）    側壁      （８）    突起      （９）    支持ピン
（１０）    突起受  （１１）    排出口
【図１】
2005152549.tif 000003
【図２】
2005152549.tif 000004
【図３】
2005152549.tif 000005
【図４】
2005152549.tif 000006